(57)【要約】【課題】ヘッドボード及びフットボードを新たに購入することなく、ヘッドボード及びフットボードのデザインを変更することができ、ボード自体のコストが上昇することもない、実用性の高いベッドを提供する。【解決手段】ベッドフレーム２の前後端部Ｆ，Ｒに設けられた本体側取付部２Ａ，２Ａに対して着脱可能なボード側取付部３Ａ，４Ａが内側に設けられたヘッドボードＨＢ（３）及びフットボードＦＢ（４）を備えたベッド１であって、ヘッドボードＨＢ及びフットボードＦＢの取付構造を同一にするとともに、ヘッドボードＨＢの前面のデザインＡ１とフットボードＦＢの後面のデザインＢ２とを異なるものとし、ヘッドボードＨＢの後面のデザインＡ２とフットボードＦＢの前面のデザインＢ１とを異なるものとした。同一ベッド１内で前後のボード３，４を交換することにより容易にデザインを変更することができる。【選択図】図８
2011139825.tif 000002
【特許請求の範囲】
【請求項１】
ベッドフレームの前後端部に設けられた本体側取付部に対して着脱可能なボード側取付部が内側に設けられたヘッドボード及びフットボードを備えたベッドであって、
前記ヘッドボード及びフットボードの取付構造を同一にするとともに、前記ヘッドボードの前面のデザインと前記フットボードの後面のデザインとを異なるものとし、前記ヘッドボードの後面のデザインと前記フットボードの前面のデザインとを異なるものとしてなることを特徴とするベッド。
【請求項２】
前記ヘッドボードの前面のデザインと前記フットボードの前面のデザインを同一又は類似にするとともに、前記ヘッドボードの後面のデザインと前記フットボードの後面のデザインを同一又は類似にしてなる請求項１記載のベッド。
【請求項３】
前記ヘッドボード及びフットボードの外形を同一にしてなる請求項１又は２記載のベッド。
【発明の詳細な説明】
【技術分野】
【０００１】
本発明は、ヘッドボード及びフットボードを備えたベッドに関するものである。
【背景技術】
【０００２】
ヘッドボード及びフットボードを備えたベッドとして、医療用ベッド及び介護用ベッドがあり、このようなベッドでは、ベッドを移動させる際にヘッドボード又はフットボードに手を掛ける場合があることから、これらのボードをベッドフレームに強固に取り付ける必要があるとともに、緊急時の移動や診察等を考慮して容易に取外しが行えるようにする必要があるため、ベッドフレームに対する取付部をヘッドボード及びフットボードの内側（ベッドフレーム側の面）に設けている（例えば、特許文献１〜３参照。）。
また、このようにヘッドボード及びフットボードの内側に取付部を設ける構成は、ベッドの外観をすっきりとした滑らかな印象にすることにも寄与している。
【０００３】
さらに、ヘッドボード及びフットボードは、そのデザインによりベッド全体の雰囲気が大きく変わるため、意匠面において影響力の大きいパーツであり、ヘッドボードを備えた一般の家庭用ベッドにおいて、そのヘッドボードのデザイン変更を行うために、ヘッドボ−ド本体の表面を被覆した第１の外装地に加え、二つ折りされた状態及び展開された状態のいずれかにすることができる第２の外装地を備え、この第２の外装地における露出させるデザインを変えることができるようにしたものもある（例えば、特許文献４参照。）。
【先行技術文献】
【特許文献】
【０００４】
【特許文献１】特開２００１−２５８６８５号公報（図１−３）
【特許文献２】特開平７−３２７７７８号公報（図１）
【特許文献３】特開平１０−２５８０９３号公報（図３）
【特許文献４】特開平１１−４７３０号公報（図１、図３−４）
【発明の概要】
【発明が解決しようとする課題】
【０００５】
上述のとおり、ヘッドボード及びフットボードは、ベッドを移動させる際に必要な強度及び剛性を備える必要があるとともに、その形状や模様等によりベッド全体の雰囲気が大きく変わることから、意匠面において影響力が大きいものであり、これらのボードを、使用者個人の好みの変化、使用者の変更、ベッドまわりの内装の変更又はベッドの使用場所（例えば病室）の変更等に合わせて変更することができれば、ベッド及びその周りが統一感のあるものとなり、使用者がより快適に使用することができるようになるとともに、病院や家庭の部屋内の雰囲気を良好にすることができる。
しかしながら、ヘッドボード及びフットボードのデザイン変更は、これらを新たに購入する必要があるため不経済であるとともに、特許文献４のような第１の外装地及び第２外装地を備える構成では、ボード体自体のコストが増大するとともに、金属、木又は合成樹脂製のヘッドボード及びフットボードを用いるベッド（例えば、特許文献１〜３の医療用ベッド及び介護用ベッド）に対しては適用することができない。
【０００６】
そこで本発明が前述の状況に鑑み、解決しようとするところは、ヘッドボード及びフットボードを新たに購入することなく、ヘッドボード及びフットボードのデザインを変更することができ、ボード自体のコストが上昇することもない、実用性の高いベッドを提供する点にある。
【課題を解決するための手段】
【０００７】
本発明に係るベッドは、前記課題解決のために、ベッドフレームの前後端部に設けられた本体側取付部に対して着脱可能なボード側取付部が内側に設けられたヘッドボード及びフットボードを備えたベッドであって、前記ヘッドボード及びフットボードの取付構造を同一にするとともに、前記ヘッドボードの前面のデザインと前記フットボードの後面のデザインとを異なるものとし、前記ヘッドボードの後面のデザインと前記フットボードの前面のデザインとを異なるものとしてなることを特徴とする。
【０００８】
このような構成によれば、ヘッドボード及びフットボードの取付構造が同一であることから、ボード側取付部が内側に設けられたヘッドボード及びフットボードを交換することができ、このような交換を行った後には、交換前のヘッドボードの前面（外面）が交換後のフットボードの後面（外面）になり、交換前のフットボードの前面（内面）が交換後のヘッドボードの後面（内面）になる。
そして、ヘッドボードの前面のデザインとフットボードの後面のデザインとが異なるとともに、ヘッドボードの後面のデザインとフットボードの前面のデザインとが異なるため、ヘッドボード及びフットボードを交換することによりデザインを変更することができる。
【０００９】
したがって、その形状や模様等によりベッド全体の雰囲気が大きく変わるヘッドボード及びフットボードを、ヘッドボード及びフットボードを新たに購入することなく、ボード自体のコストも上昇することもなく、これらを交換することによりデザインを変更することができ、このような同一ベッド内のボード交換によるデザイン変更は、使用者個人の好みの変化、使用者の変更、ベッドまわりの内装の変更又はベッドの使用場所（例えば病室）の変更等に合わせて容易に行うことができる。
【００１０】
ここで、前記ヘッドボードの前面のデザインと前記フットボードの前面のデザインを同一又は類似にするとともに、前記ヘッドボードの後面のデザインと前記フットボードの後面のデザインを同一又は類似にしてなると好ましい。
このような構成によれば、ヘッドボードの前面（外面）を壁に近づけた状態で使用されるのが一般的であるベッドにおいて、視認されやすく意匠的効果の影響力が大きいヘッドボードの後面（内面）及びフットボードの後面（外面）のデザインが同一又は類似であるため、ベッドのデザインがより統一感のあるものになる。
その上、ヘッドボードの前面のデザインとフットボードの前面のデザインも同一又は類似であるため、ヘッドボード及びフットボードの交換後においても、視認されやすく意匠的効果の影響力が大きいヘッドボードの後面（内面）及びフットボードの後面（外面）のデザインが同一又は類似になるため、前記交換後においてもベッドのデザインがより統一感のあるものになる。
【００１１】
また、前記ヘッドボード及びフットボードの外形を同一にしてなると好ましい。
このような構成によれば、ヘッドボード及びフットボードを交換してもこれらの外形（大きさ）が変わらないため、ヘッドボード及びフットボードの交換後に違和感を生じることがない。
【発明の効果】
【００１２】
以上のように、本発明に係るベッドによれば、ヘッドボード及びフットボードを新たに購入することなく、ヘッドボード及びフットボードのコストが上昇することもなく、その形状や模様等によりベッド全体の雰囲気が大きく変わるヘッドボード及びフットボードを、同一ベッド内でこれらのボードを交換することにより容易にデザインを変更することができるため、使用者個人の好みの変化、使用者の変更、ベッドまわりの内装の変更又はベッドの使用場所（例えば病室）の変更等に合わせてベッドのデザインを容易かつ迅速に変更することができるという顕著な効果を奏する。
【図面の簡単な説明】
【００１３】
【図１】本発明の実施の形態に係るベッドを示す斜視図である。
【図２】同じくヘッドボードを示す斜視図である。
【図３】同じくフットボードを示す斜視図である。
【図４】ボード側取付部の拡大斜視図である。
【図５】本体側取付部にボード側取付部を取り付けた状態を示す拡大斜視図である。
【図６】本体側取付部にボード側取付部を取り付ける前の状態を示す右方から見た縦断面図である。
【図７】本体側取付部にボード側取付部を取り付けた後の状態を示す右方から見た縦断面図である。      縦断面図である。
【図８】ヘッドボード及びフットボードを交換する前の状態を示す正面図である。
【図９】ヘッドボード及びフットボードを交換した後の状態を示す正面図である。
【発明を実施するための形態】
【００１４】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、ベッドの頭部側（ヘッドボード側）を前、脚部側（フットボード側）を後、ヘッドボード及びフットボードにおいては、これらのベッドフレーム側を内側、その反対側を外側、内側の面を内面、外側の面を外面とする。
また、左右は前方に向かっていうものとし、左方から見た図を正面図とする。
【００１５】
図１に示すように、発明の実施の形態に係るベッド１は、医療用ベッド又は介護用ベッドとして用いられるものであり、詳細は示さないが、昇降用アクチュエータにより昇降フレームを固定フレームに対して昇降させることにより床部が昇降する床部昇降機能を備えており、床部上にはマットレスＭが敷かれ、ベッドフレーム（本体フレーム）２の前後端部Ｆ，Ｒには、ヘッドボードＨＢ及びフットボードＦＢが立設され、ヘッドボードＨＢの前面（外面）を壁面Ｗに近づけた状態で使用される。
また、ベッド１のボード３，４は、これらを交換して使用することができるように、ベッドフレーム２への取付構造を同一にしているとともに、外形（大きさ）も同じにしており（図２及び図３並びに図８及び図９も参照。）、図１に示す状態では、ボード３をヘッドボードＨＢとし、ボード４をフットボードＦＢとしている。
【００１６】
図２及び図３に示すように、ボード３には、その内側左右にボード側取付部３Ａ，３Ａが、ボード４には、その内側左右にボード側取付部４Ａ，４Ａが設けられており、ボード側取付部３Ａ，３Ａ及び４Ａ，４Ａは、後述するように図１に示すベッドフレーム２の前端部Ｆ及び後端部Ｒの左右に設けられた本体側取付部２Ａ，２Ａに対して着脱可能なものである。
また、図２に示すように、ボード３の表裏面（前面及び後面）のデザインは異なるものとしており、このような構成はボード４においても同様であり、図１及び図８も参照して説明すると、ヘッドボードＨＢ（ボード３）の前面のデザインＡ１と後面のデザインＡ２とは異なり、フットボードＦＢ（ボード４）の前面のデザインＢ１と後面のデザインＢ２とは異なり、ヘッドボードＨＢの前面のデザインＡ１とフットボードＦＢの前面のデザインＢ１とは同一であり、ヘッドボードＨＢの後面のデザインＡ２とフットボードＦＢの後面のデザインＢ２とは同一である（図３も参照。）。
【００１７】
次に、ボード３，４をベッドフレーム２へ着脱可能に取り付ける取付構造について説明する。
ボード３，４の前記取付構造は同一であるため、ボード３をヘッドボードＨＢとしてベッドフレーム２へ取り付ける場合について説明する。
図２及び図４〜７に示すように、ボード側取付部３Ａは、上下に鉤状部が形成された掛止片５であり、本体側取付部２Ａは上下の被掛止ピン６，６であり、図６に示す状態から図７に示すように掛止片５の上下の鉤状部を被掛止ピン６，６に掛止することによりボード３をベッドフレーム２へ容易に取り付けることができる。
そして、この状態で、図６の矢印のようにロックレバー８を外側へ引くと、掛止片５から左右方向の内側へ突設された被ロックピン７にロック片９が掛止されるため、図５及び図７に示すようにボード３の抜け止めがされる。なお、図５は、図面を見やすくするため、ボード３側の部品として掛止片５のみを示している。
【００１８】
次に、ボード３及び４を交換する前後におけるデザインの変化について説明する。
上述のとおり、ボード３，４をベッドフレーム２へ着脱可能に取り付ける取付構造は同一であるため、ボード３及び４を交換してベッドフレーム２へ取り付けることができる。
したがって、図８に示すように、ボード３をヘッドボードＨＢとしてベッドフレーム２へ取り付け、ボード４をフットボードＦＢとしてベッドフレーム２へ取り付けた状態から、図９に示すように、ボード３をフットボードＦＢとしてベッドフレーム２へ取り付け、ボード４をヘッドボードＨＢとしてベッドフレーム２へ取り付けた状態にすることができる。
【００１９】
ここで、図８の状態（図１も参照。）では、ヘッドボードＨＢの前面（外面）のデザインＡ１及びフットボードＦＢの前面（内面）のデザインＢ１は、図２のデザインＡ１及び図３のデザインＢ２の裏面のデザインＢ１（図２におけるヘッドボードＨＢの前面のデザインＡ１と同一のもの。）であるため、同一のものであり、ヘッドボードＨＢの後面（内面）のデザインＡ２及びフットボードＦＢの後面（外面）のデザインＢ２は、図２のデザインＡ２及び図３のデザインＢ２であるため、同一のものである。
また、図８の状態からボード３，４を交換した図９の状態では、交換前のヘッドボードＨＢであるボード３の前面（外面）が交換後のフットボードＦＢの後面（外面）になり、交換前のフットボードＦＢであるボード４の前面（内面）が交換後のヘッドボードＨＢの後面（内面）になるため、図８の状態からヘッドボードＨＢ及びフットボードＦＢの表裏のデザインが入れ替わった状態となっている。
【００２０】
なお、同一ベッド１内においてヘッドボードＨＢ及びフットボードＦＢを交換することなく、ヘッドボードＨＢ及びフットボードＦＢのデザイン面を形成する部分自体を着脱可能にして表裏を入れ換える構成も考えられるが、このような構成では、前記デザイン面を形成する部分を着脱可能にする構造が複雑になり、その構造を見え難くするような意匠面からの配慮が必要になるとともに、前後のボードを交換する作業と比較して前記デザイン面を形成する部分の表裏を入れ換える作業に手間がかかるため、ヘッドボードＨＢ及びフットボードＦＢのデザイン面を形成する部分自体を着脱可能にして表裏を入れ換える構成は、好ましい構成ではない。
【００２１】
以上のようなベッド１の構成によれば、ヘッドボードＨＢ（例えばボード３）の前面（外面）のデザインＡ１とフットボードＦＢ（例えばボード４）の後面（外面）のデザインＢ２とが異なるとともに、ヘッドボードＨＢの後面（内面）のデザインＡ２とフットボードＦＢの前面（内面）のデザインＢ１とが異なるため、ヘッドボードＨＢ及びフットボードＦＢを交換することによりデザインを変更することができる。
したがって、その形状や模様等によりベッド１全体の雰囲気が大きく変わるヘッドボードＨＢ及びフットボードＦＢを、ヘッドボードＨＢ及びフットボードＦＢを新たに購入することなく、ボード自体のコストも上昇することもなく、これらを交換することによりデザインを変更することができ、このような同一ベッド１内のボード交換によるデザイン変更は、使用者個人の好みの変化、使用者の変更、ベッド１まわりの内装の変更又はベッド１の使用場所（例えば病室）の変更等に合わせて容易に行うことができる。
【００２２】
また、ヘッドボードＨＢの前面（外面）のデザインＡ１とフットボードＦＢの前面（内面）のデザインＢ１を同一にするとともに、ヘッドボードＨＢの後面（内面）のデザインＡ２とフットボードＦＢの後面（外面）のデザインＢ２を同一にしていることから、ヘッドボードＨＢの前面（外面）を壁Ｗに近づけた状態で使用されるのが一般的であるベッド１において、視認されやすく意匠的効果の影響力が大きいヘッドボードＨＢの後面（内面）のデザインＡ２及びフットボードＦＢの後面（外面）のデザインＢ２が同一であるため、ベッド１のデザインがより統一感のあるものになる。
その上、ヘッドボードＨＢの前面（外面）のデザインＡ１とフットボードＦＢの前面（内面）のデザインＢ１も同一であるため、ヘッドボードＨＢ及びフットボードＦＢの交換後においても、視認されやすく意匠的効果の影響力が大きいヘッドボードＨＢの後面（内面）及びフットボードＦＢの後面（外面）のデザインが同一になるため、前記交換後においてもベッド１のデザインがより統一感のあるものになる。
さらに、ヘッドボードＨＢ及びフットボードＦＢの外形が同一であることから、ヘッドボードＨＢ及びフットボードＦＢを交換してもこれらの外形（大きさ）が変わらないため、ヘッドボードＨＢ及びフットボードＦＢの交換後に違和感を生じることがない。
【００２３】
以上の説明においては、ヘッドボードＨＢ（例えばボード３）の前面のデザインＡ１とフットボードＦＢ（例えばボード４）の前面のデザインＢ１とが同一であり、ヘッドボードＨＢの後面のデザインＡ２とフットボードＦＢの後面のデザインＢ２とが同一である場合を示したが、前記デザイン同士は必ずしも同一ではなく、類似するものであってもよい。
また、本発明のベッド１は、ヘッドボードＨＢ及びフットボードＦＢをベッドフレーム２に強固に取り付ける必要があるとともに、緊急時の移動や診察等を考慮してヘッドボードＨＢ及びフットボードＦＢの取外しが容易に行えるように構成される医療用ベッド及び介護用ベッド用として好適であるが、ヘッドボード及びフットボードを備えた家庭用の一般的なベッド用としてもよい。
【符号の説明】
【００２４】
Ａ１  ヘッドボードの前面のデザイン
Ａ２  ヘッドボードの後面のデザイン
Ｂ１  フットボードの前面のデザイン
Ｂ２  フットボードの後面のデザイン
ＨＢ  ヘッドボード
ＦＢ  フットボード
Ｆ  前端部
Ｒ  後端部
Ｍ  マットレス
Ｗ  壁面
１  ベッド
２  ベッドフレーム
２Ａ  本体側取付部
３，４  ボード
３Ａ，４Ａ  ボード側取付部
５  掛止片
６  被掛止ピン
７  被ロックピン
８  ロックレバー
９  ロック片
【図１】
2011139825.tif 000003
【図２】
2011139825.tif 000004
【図３】
2011139825.tif 000005
【図４】
2011139825.tif 000006
【図５】
2011139825.tif 000007
【図６】
2011139825.tif 000008
【図７】
2011139825.tif 000009
【図８】
2011139825.tif 000010
【図９】
2011139825.tif 000011